(57)【要約】【課題】本発明は、家具内部の引き出しの斜行を最小限に抑えるための引き出し組立体に関する。【解決手段】本発明の引き出し組立体は、引き出しと、スライドにより家具内部の引き出しを開閉するためのスライド式ガイドレールシステムとを備える。引き出しを支持するためのサポートブラケット（２０）が引き出しの各側面に設けられる。スライド式ガイドレールシステムが、各サポートブラケット内部に設けられた固定式レール（４０）を含む。引き出し組立体の各側面が、サポートブラケットと固定式レールとの間に且つ引き出し組立体の後方コーナーに設けられた第１の部材（８０又は９０）と、サポートブラケットと固定式レールとの間に且つ引き出し組立体の前方コーナーに設けられた第２の部材（９０又は８０）とを有する。引き出しが、引き出しの一方の側面で第１の部材によって且つ引き出しの他方の側面で第２の部材によって、サポートブラケット及び固定式レールの対角に対向した２つのコーナーに係合し、斜行を防止するように案内される。【選択図】図７Ａ
2011101799.tif 000002
【特許請求の範囲】
【請求項１】
引き出しと、家具内部に設けられた前記引き出しをスライドさせることによって開閉するためのスライド式ガイドレールシステムと、前記引き出しを支持するためのサポートブラケット（２０）であって、前記引き出しの側面それぞれに設けられている前記サポートブラケット（２０）と、を備えている引き出し組立体において、
前記スライド式ガイドレールシステムが、前記サポートブラケット（２０）それぞれの内部に設けられている固定式レール（４０）と、前記家具内部の前記引き出しの斜行を最小限に抑えるための装置であって、前記引き出しの側面それぞれに設けられている前記装置と、を含んでおり、
前記装置が、バンパープレート（８０）とローラ（９０）とを含んでおり、
前記バンパープレート（８０）が、前記サポートブラケット（２０）及び前記固定式レール（４０）のうち一方の長手方向端部に設けられており、
前記ローラ（９０）が、前記サポートブラケット（２０）及び前記固定式レール（４０）のうち他方の長手方向端部に設けられており、
前記バンパープレート（８０）が設けられている前記サポートブラケット（２０）及び前記固定式レール（４０）のうち一方の前記長手方向端部と、前記ローラ（９０）が設けられている前記サポートブラケット（２０）及び前記固定式レール（４０）のうち他方の前記長手方向端部とが、長手方向において互いに反対側に配置されており、
前記バンパープレート（８０）が、前記サポートブラケット（２０）の垂直方向フランジ（２４）又は前記固定式レール（４０）の垂直方向フランジと係合可能とされ、
前記ローラ（９０）が、前記サポートブラケット（２０）の前記垂直方向フランジ（２４）又は前記固定式レール（４０）の前記垂直方向フランジと係合可能とされ、
前記引き出しが、前記バンパープレート（８０）の前記引き出しの一方の側面における係合と、前記ローラ（９０）の前記引き出しの他方の側面における係合とによって、斜行を防止するように対角に対向して配置された２つのコーナーにおいて案内されることを特徴とする引き出し組立体。
【請求項２】
前記バンパープレート（８０）が、弾性材料から作られていることを特徴とする請求項１に記載の引き出し組立体。
【請求項３】
前記ローラ（９０）が、弾性材料から作られていることを特徴とする請求項１又は２に記載の引き出し組立体。
【請求項４】
前記装置が、前記ローラ（９０）のための保護ハウジング（９３）を備えていることを特徴とする請求項１〜３のいずれか一項に記載の引き出し組立体。
【請求項５】
前記装置が、前記ローラ（９０）を前記サポートブラケット（２０）及び前記固定式レール（４０）のうち一方に取り外し可能にロックするためのブラケット（９５）を備えていることを特徴とする請求項１〜４のいずれか一項に記載の引き出し組立体。
【請求項６】
前記バンパープレート（８０）が、前記固定式レール（４０）の長手方向前端部に隣り合って設けられていることを特徴とする請求項１〜５のいずれか一項に記載の引き出し組立体。
【請求項７】
前記バンパープレート（８０）が、前記固定式レール（４０）の前記長手方向前端部に取り外し可能に係止されていることを特徴とする請求項６に記載の引き出し組立体。
【請求項８】
前記ローラ（９０）が、前記サポートブラケット（２０）の長手方向後端部に隣り合って設けられていることを特徴とする請求項６又は７に記載の引き出し組立体。
【請求項９】
前記サポートブラケット（２０）が、自身の前記垂直方向フランジ（２４）に、前記ローラ（９０）を取り外し可能に受容するように適合された形態の開口部（２５）を備えていることを特徴とする請求項８に記載の引き出し組立体。
【請求項１０】
前記バンパープレート（８０）が、前記サポートブラケット（２０）の長手方向後端部に隣り合って設けられていることを特徴とする請求項１〜５のいずれか一項に記載の引き出し組立体。
【請求項１１】
前記バンパープレート（８０）が、前記サポートブラケット（２０）の前記長手方向後端部に取り外し可能に係止されていることを特徴とする請求項１０に記載の引き出し組立体。
【請求項１２】
前記ローラ（９０）が、前記固定式レール（４０）の長手方向前端部に隣り合って設けられていることを特徴とする請求項１０又は１１に記載の引き出し組立体。
【請求項１３】
前記固定式レール（４０）が、自身の前記垂直方向フランジに、前記ローラ（９０）を取り外し可能に受容するように適合された形態の開口部を備えていることを特徴とする請求項１２に記載の引き出し組立体。
【請求項１４】
引き出しと、家具内部に設けられた前記引き出しをスライドさせることによって開閉するためのスライド式ガイドレールシステムと、前記引き出しを支持するためのサポートブラケット（２０）であって、前記引き出しの側面それぞれに設けられている前記サポートブラケット（２０）と、を備えている引き出し組立体において、
前記スライド式ガイドレールシステムが、前記サポートブラケット（２０）それぞれの内部に設けられている固定式レール（４０）を含んでおり、
前記引き出し組立体の側面それぞれが、前記サポートブラケット（２０）と前記固定式レール（４０）との間に且つ前記引き出し組立体の後方のコーナーに設けられている第１の部材（８０，９０）と、前記サポートブラケット（２０）と前記固定式レール（４０）との間に且つ前記引き出し組立体の前方のコーナーに設けられている第２の部材（９０，８０）とを有しており、
前記引き出しが、前記引き出しの一方の側面において前記第１の部材（８０，９０）によって、且つ、前記引き出しの他方の側面において前記第２の部材（９０，８０）によって、前記サポートブラケット（２０）及び前記固定式レール（４０）の対角に対向している２つのコーナーにおいて係合することによって、斜行を防止するように案内されることを特徴とする引き出し組立体。
【発明の詳細な説明】
【技術分野】
【０００１】
本発明は、引き出しと、家具（article of furniture）内部において引き出しをスライドすることによって開閉するためのスライド式ガイドレールシステムとを有している引き出し組立体に関する。より具体的には、本発明は、家具内部における引き出しの斜行（skewing）を最小限に抑えるように配置された引き出し組立体に関する。
【背景技術】
【０００２】
典型的な引き出し組立体は、スライド式ガイドレールシステムとスライド移動中に引き出しを支持するための支持手段とを有している引き出しを一般に備えている。“フルエクステンション”タイプ又は“シングルエクステンション”タイプのスライド式ガイドレールシステムによって、一般に引き出しは、スライドすることによって完全に又は部分的に開閉される。“フルエクステンション”タイプのガイドレールシステムは、一般に、引き出し組立体を家具に固定するための取付ブラケットと、取付ブラケットに取り付けられている固定式レールと、引き出しの側面に取り付けられている引き抜きレールと、好ましくは固定式レールと引き抜きレールとの間に配設された中間レールとから成る。“シングルエクステンション”タイプのガイドレールシステムでは、中間レールが設けられておらず、引き抜きレールが、取付ブラケットの走行面（固定式レール）上で直接スライド可能である。
【０００３】
引き出し閉鎖装置は、一般に引き出し閉鎖動作を補助するために設けられている。引き出し閉鎖装置が設けられていない場合には、閉位置に向かって移動している引き出しが完全に閉じない場合があり、引き出しの前面パネルは家具から突出する。また、引き出しが過剰な力で家具に押し込まれた場合に、引き出しが逆戻りする場合がある。一般に、引き出し閉鎖装置は、一の引き出し組立体に対して対で設けられている。すなわち、スライド式ガイドレールシステムそれぞれについて、一の引き出し閉鎖装置が引き出しの各側面に設けられており、引き出しを閉状態に付勢するために弾性手段（場合によっては、バネ）を含んでいる。引き出し閉鎖装置は、スライド式ガイドレールシステムの様々な部分に、例えば固定式レールの後方に（又は直接、取付ブラケットに）取付可能とされ、引き出し閉鎖方向における引き抜きレールのスライド運動を補助するように、引き抜きレールに機能的に係合可能とされる。
【０００４】
上述の引き出し組立体と共に利用するための引き出しは、様々な理由によって横方向に傾斜又は斜行する傾向がある。
【０００５】
引き出しが、中央からではなく一方の側部から家具から引き出された場合には、引き出しの各側面に設けられた対の引き出し閉鎖装置のバネ付勢力が、引き出しに不均一に作用し、これにより引き出しが家具内において斜行する。この問題は、幅広の引き出しでは悪化する。
【０００６】
ローラハウジング（又はキャリッジ）は、一般にスライド式ガイドレールシステムのレール部品が互いに対して相対的にスライド可能となるように設けられている。ガイドレールシステムの空間上の制約に起因して、該ローラハウジングは、一般に各レール部品の上方に（又は内部に）係合する。引き出しが充填されていない場合には、最小限の力がレール部品（及びローラ）に作用する。さらに、非常に小さな間隙のみが、幾つかのローラとレール部品の表面（走行面を含む）との間に設けられている。しかしながら、引き出しが完全に充填された場合には、不均一に分布する実質的な力がローラに作用するので、ローラとれー留部品の走行面との間には、間隙が全く生じないか、及び／又は過剰な間隙が発生する。これにより、レールがスライド運動している場合に、中間レール部品及び／又は引き抜きレール部品が内向き又は外向きに傾斜し、ひいては家具内において引き出しが斜行する。この問題は、引き出し組立体“フルエクステンション”タイプのスライド式ガイドレールシステムを有している引き出し組立体においてはさらに明らかとなる。
【０００７】
引き出しの任意の傾斜又は斜行が、引き出しのスライド運動の滑らかさ及び安定性に悪影響を及ぼす。従って、引き出し組立体が、引き出しの滑らか且つ安定したスライド運動を考慮して、このような斜行の影響を最小限に抑えるための装置を有していることが望ましい。
【発明の概要】
【発明が解決しようとする課題】
【０００８】
従って、本発明の目的は、先行技術の問題のうち幾つかの問題又はすべての問題を低減することである。
【課題を解決するための手段】
【０００９】
本発明の一の実施形態では、引き出し組立体は、引き出しと、家具内部に設けられた引き出しをスライドさせることによって開閉するためのスライド式ガイドレールシステムとを備えている。引き出しを支持するためのサポートブラケットが、引き出しの側面それぞれに設けられている。スライド式ガイドレールシステムが、サポートブラケットそれぞれの内部に設けられている固定式レールを含んでいる。家具内部の引き出しの斜行を最小限に抑えるための装置が、引き出しの側面それぞれに設けられている。前記装置が、バンパープレートとローラとを含んでいる。バンパープレートが、サポートブラケット及び固定式レールのうち一方に設けられている。ローラが、サポートブラケット及び固定式レールのうち他方に設けられている。バンパープレートが設けられているサポートブラケット及び固定式レールのうち一方の長手方向端部と、ローラが設けられているサポートブラケット及び固定式レールのうち他方の長手方向端部とが、長手方向において互いに反対側に配置されている。バンパープレートが、サポートブラケット垂直方向フランジ又は固定式レールの垂直方向フランジと係合可能とされる。ローラが、サポートブラケットの垂直方向フランジ又は固定式レールの垂直方向フランジと係合可能とされる。引き出しが、バンパープレートが引き出しの一方の側面に係合することによって、且つ、ローラが引き出しの他方の側面に係合することによって、斜行を防止するように２つの対角に対向して配置されたコーナーで案内される。
【００１０】
一の実施例では、バンパープレートが弾性材料から作られている。
【００１１】
他の実施例では、ローラが弾性材料から作られている。
【００１２】
さらなる実施例では、前記装置が、ローラのための保護ハウジングをさらに備えている。
【００１３】
さらにさらなる実施例では、前記装置が、サポートブラケット及び固定式レールのうち一方にローラを取り外し可能にロックするためのブラケットをさらに備えている。
【００１４】
一の実施態様では、バンパープレートが、固定式レールの長手方向前端部に隣り合って設けられている。バンパープレートが、固定式レールの長手方向前端部に取り外し可能に係留されている場合がある。ローラは、サポートブラケットの長手方向後端部に隣り合って設けられている。サポートブラケットは、自身の垂直方向フランジに、ローラを取り外し可能にじゅようするように適合された形態の開口部を備えている。
【００１５】
他の実施例では、バンパープレートが、サポートブラケットの長手方向後端部に隣り合って設けられている。バンパープレートが、サポートブラケットの長手方向後端部に取り外し可能に係留されている場合がある。ローラは、固定式レールの長手方向前端部に隣り合って設けられている。固定式レールは、自身の垂直方向フランジに、ローラを取り外し可能に受容するように適合された形態の開口部を備えている。
【００１６】
本発明の他の実施態様では、引き出し組立体が、引き出しと、スライドさせることによって家具内部の引き出しを開閉するためのスライド式ガイドレールシステムとを備えている。引き出しを支持するためのサポートブラケットが、引き出しの側面それぞれに設けられている。スライド式ガイドレールシステムは、サポートブラケットそれぞれの内部に設けられている固定式レールを含んでいる。引き出し組立体の側面それぞれが、引き出しが閉じられた状態にある場合に、サポートブラケットと固定式レールとの間に且つ引き出し組立体の後方のコーナーに設けられている第１の部材と、サポートブラケットと固定式レールとの間に且つ引き出し組立体の前方のコーナーに設けられている第２の部材とを有している。引き出しが、引き出しの一方の側面において第１の部材によって、且つ、引き出しの他方の側面において第２の部材によって、サポートブラケット及び固定式レールの２つの対角に対向しているコーナーに係合することによって、斜行を防止するように案内される。
【００１７】
本発明の目的は、滑らか且つ安定した引き出しの開閉動作を可能とするように、家具内部の引き出しの斜行を最小限に抑える引き出し組立体を提供することである。
【００１８】
この引き出し組立体の構成によって、引き出しが、斜行を防止するように、対角に対向する２つのコーナーで案内されるようになる。これにより、幅広の引き出しであっても効果的に斜行を最小限に抑えることができる。
【００１９】
また、本発明の引き出し組立体と共に利用される引き出しの大きさに関わらず、例えば短い引き出し、長い引き出し、幅広の引き出し等であっても、斜行防止装置を利用する必要がない。従って、フレキシブルな利用が可能となる。
【００２０】
さらに、弾性材料を含む斜行防止装置の部材を備えていることによって、レール部品（固定レール）と引き出し側面（サポートブラケット）との間における摩擦が低減される。これにより、引き出し開閉動作の効率が改善されるばかりでなく、スライド式ガイドレールシステムの構成部品が損傷する可能性が低減される点においても優位である。
【００２１】
従って、家具内部の引き出しの斜行を最小限に抑える装置を有している引き出し組立体が、本発明の引き出し組立体の上述の利点を有しているので、滑らか且つ安定した引き出しのスライド動作が可能となる。
【００２２】
以下の発明の詳細な説明及び添付図面を参照することよって本発明を説明するが、本発明が発明の詳細な説明及び添付図面によって限定される訳ではない。
【図面の簡単な説明】
【００２３】
【図１】本発明における引き出し組立体の斜視図である。
【図２】図１の引き出し組立体の引き出し側面部材の分解図である。
【図３Ａ】組立状態における斜行防止装置のローラを表わす。
【図３Ｂ】非組立状態における斜行防止装置のローラを表わす。
【図４Ａ】組み立てられたローラ（ハウジングに収容されている）が、図２に表わす引き出し側面部材のサポートブラケットの開口部に嵌め込まれる様子を表わす。
【図４Ｂ】組み立てられたローラ（ハウジングに収容されている）が、図２に表わす引き出し側面部材のサポートブラケットの開口部に嵌め込まれる様子を表わす。
【図４Ｃ】組み立てられたローラ（ハウジングに収容されている）が、図２に表わす引き出し側面部材のサポートブラケットの開口部に嵌め込まれる様子を表わす。
【図５】図１に表わす引き出し組立体のスライド式ガイドレールシステムの斜視図である。
【図６Ａ】引き出し側面部材（サポートブラケット上方のカバー部分）内部のスライド式ガイドレールシステムの組立以上体を表わす前面の断面図である。
【図６Ｂ】引き出し側面部材内部のスライド式ガイドレールシステム（サポートブラケット上方のカバー部分）の組立以上体を表わす前面の断面図である。
【図７Ａ】中立位置における引き出し組立体の上面図である。
【図７Ｂ】引き出しが家具内部において内方に斜行した場合における、図７Ａに表わす引き出し組立体の上面図である。
【図８Ａ】中立位置における幅広の引き出し組立体の上面図である。
【図８Ｂ】引き出しが家具内部において内方に斜行した場合における、図８Ａに表わす引き出し組立体の上面図である。
【図９Ａ】中立位置における引き出し組立体のスライド式ガイドレールシステム（スライディングハウジングは図示しない）の前面の断面図である。
【図９Ｂ】スライド式ガイドレールシステムが内方に傾斜した場合における、図９Ａに表わすスライド式ガイドレールシステム（スライディングハウジングは図示しない）の前面の断面図である。
【図９Ｃ】スライド式ガイドレールシステムが外方に傾斜した場合における、図９Ａに表わすスライド式ガイドレールシステム（スライディングハウジングは図示しない）の前面の断面図である。
【図１０】図９Ｂに表わすスライド式ガイドレールシステムの上面図である。
【図１１】図１に表わす引き出し組立体と共に利用するための引き出し閉鎖装置を表わす。
【発明を実施するための形態】
【００２４】
図１〜図１０は、本発明における引き出し組立体の一の実施例を表わす。この引き出し組立体は、引き出しと、スライドすることによって引き出しを開閉させるためのスライド式ガイドレールシステムと、家具内部における引き出しの斜行を最小限に抑えるための装置とを備えている。斜行防止装置は、引き出し側面部材及びレール部材のうちいずれか一方の部材における長手方向端部それぞれに別々に配設されている、バンパープレート８０及びローラ９０を備えている。
【００２５】
図１を参照すると、引き出しは、前面パネル１と、後面パネル（図示しない）と、底面パネル３と、引き出しの各側面に設けられている引き出し側面部材４と、を備えている。
【００２６】
前面パネル、後面パネル、及び底面パネルは、本発明が属する技術分野において一般に知られている通常の構成を有している。引き出し側面部材４は、図２、図６Ａ、及び図６Ｂを参照すると、“二重壁”構造になっており、典型的には、カバー部品１０とサポートブラケット２０とを備えている。カバー部品１０は、好ましくは金属製であり、サポートブラケット２０に覆い被さっている。
【００２７】
サポートブラケット２０の長手方向後端部の上面には、ネジが挿通可能とされる開口部２１が、サポートブラケット２０（引き出し側面部材４）をコーナー取付部材５（corner fitting）を介して引き出しの後面パネル（図示しない）に接続するために形成されている。サポートブラケット２０は、好ましくはシートメタルからＣ字状開断面に形成されている。該Ｃ字状開断面には、Ｌ字状フランジ２２が該サポートブラケットの内側面（引き出しの内側に面しているサポートブラケット２０の側面）に沿って長手方向に配設されている。引き出し底面パネル３は、該底面パネルの側面が該Ｌ字状フランジの垂直部分２４に当接するように、Ｌ字状フランジ２２の水平部分２３上に取付可能とされる。サポートブラケット２０の上面には、開口部が長手方向前端部に向かって設けられている。開口部は、サポートブラケット２０をガイドレールシステム（引き抜きレール６０）に取り外し可能に係合させるために、キャッチ（図示しない）を受容するように適切に形成されている。
【００２８】
図２、図４、及び図６〜図１０に表わす本発明における一の実施例では、斜行防止装置のローラ９０が、サポートブラケット２０の長手方向後端部に隣り合って配設されている。調整部分２６がローラ９０を回動可能に受容するために形成されている十字状開口部２５が、サポートブラケット２０の長手方向後端部に隣り合った状態でＬ字状フランジ２２の垂直部分２４に設けられている。
【００２９】
本発明における引き出し組立体と共に利用するためのガイドレールシステムは、“フルエクステンション”タイプ又は“シングルエクステンション”タイプである。“フルエクステンション”タイプ（図５、図６、図９、及び図１０）では、ガイドレールシステムは、引き出しを家具に固定するための取付ブラケット３０と、取付ブラケット３０に取り付けられている固定式レール４０と、中間レール５０と、引き出し側面部材４に固定されている引き抜きレール６０とを備えている。“シングルエクステンション”タイプのガイドレールシステムは、引き抜きレールが取付ブラケットの走行面（固定式レール）上で前後方向にスライド可能な状態において該ガイドレールシステムを家具に固定するための、取付ブラケットを備えている。複数のローラが設けられているスライディングハウジング（図示しない）が、中間レール５０を固定式レール４０上でスライド可能とするために（“フルエクステンション”タイプのガイドレールシステムに限る）、及び引き抜きレール６０を中間レール５０上で又は直接に固定式レール４０上でスライド可能とするために設けられている。
【００３０】
図５、図６、及び図９は、シートメタルから略Ｌ字状断面に形成されているスライド式ガイドレールシステムの取付ブラケット３０であって、垂直方向フランジ３１及び水平方向フランジ３２を備えている取付ブラケット３０を表わす。垂直方向フランジ３１には、多数の穴３３が、例えば引き出しが内蔵されるキャビネットやシャーシのような家具の側面に固定するために配設されている。また、垂直方向フランジ３１には、段付縁部が、該垂直方向フランジの剛性を高めるために形成されている。同様に、ノッチが、取付ブラケット３０の剛性及び耐荷重を高めるためにＬ字状断面の屈曲縁部に形成されている。ガイドレールシステムの固定式レール４０は、（例えば溶接によって）取付ブラケット３０の水平方向フランジ３２上に固定されている。
【００３１】
図５、図６、及び図９を参照すると、固定式レール４０は、シートメタルからＣ字状開断面に形成されている。内向きに曲げられた打ち抜きタブから成るストッパが、片側又は両側において、固定式レール４０の長手方向端部の両方に向かって形成されている。スライディングハウジング（図示しない）が、固定式レール４０の内側にスライド可能に係合されている。該スライディングハウジングは、ローラを有しているので、該固定式レールの内側においてストッパ同士の間で滑らかに走行可能となる。
【００３２】
図５〜図１０に表わす実施例では、斜行防止装置のバンパープレート８０が、固定式レール４０の長手方向前端部に隣り合って又は該長手方向前端部に設けられている。この場合には、バンパープレート８０は、該固定式レールを取付ブラケット３０に溶接する前においては、固定式レールの前端部に取り外し可能に固定されている。組立後、取付ブラケット３０の水平方向フランジ３２は、バンパープレート８０を固定式レール４０に堅固に支持及び保持するための“ホルダ”として機能する。
【００３３】
図１１は、引き出し閉鎖装置７０を表わす。この閉鎖装置７０は、固定式レール４０の後端部に取り付けられており、引き出し閉鎖動作、すなわち引き抜きレール６０が引き出しの閉鎖方向にスライドする動作を補助するように、引き抜きレール６０の底面に配置されている案内ピン（図示しない）と機能的に係合可能とされる。
【００３４】
図５、図６、及び図９は、シートメタルから略Ｉ字状断面に形成されている、代替的には２つのＴ字状断面部材から成る複合体である中間レール５０を表わす。該中間レールは、上方の水平方向フランジ、下方の水平方向フランジ、及び垂直方向ウェブから成る。上方の水平方向フランジの屈曲縁部と下方の水平方向フランジの屈曲縁部とが、互いに同一側面に又は両側面に形成されている。２組のストッパがそれぞれ、下方の水平方向フランジ及び上方の水平方向フランジの上面及び下面に離隔して形成されている。該ストッパは、内向きに曲げられた打ち抜きタブから成る場合がある。中間レール５０は、前後の区別をせずに取り付け可能とされる。また、中間レール５０は、依然曲げられていない打ち抜きタブすなわちストッパを備えている。組立又は据付の際に、これら打ち抜きタブを必要な方向に曲げることができるようにするためである。これにより、当該ガイドレールシステムの組立の際にフレキシビリティを発揮させることが可能となり、優位には在庫する必要がある部品の数量を低減することができる。
【００３５】
図５、図６、及び図９は、シートメタルからＣ字状開断面に形成されている引き抜きレール６０を表わす。２つのストッパそれぞれが、引き抜きレール６０の両側面において、該引き抜きレールの長手方向端部に配置されている。これらストッパは、内向きに曲げることができる打ち抜きタブから成る。Ｌ字状延長部分６１は、引き抜きレール６０の上面において切断又は形成されている。Ｌ字状延長部分６１は、引き抜きレール６０を引き出しに固定するために、引き出し側面部材４においてアタッチメント（図示しない）と係合する。開口部６２も、引き出し側面部材４の前方に取り付けられているキャッチ（図示しない）と係合可能とするために、（引き出し方向において相対的な）前端部において引き抜きレール６０の上面に抜き打ち加工によって形成されている。これにより、引き出しが引き抜きレール６０と取り外し容易に取り付け可能となる。ローラを有しているスライディングハウジング（図示しない）が、引き抜きレール６０の内側にスライド可能に係合している。これにより、該スライディングハウジングが、ストッパ同士の間において該引き抜きレールの内側で滑らかに走行可能となる。案内ピン（図示しない）が、固定式レール４０の後端部において引き出し閉鎖装置７０と係合するために、引き出しレール６０の底面に設けられている。
【００３６】
スライディングハウジング（本出願では図示しない）は、開いたＴ字状の形態をした中空の凹所がその中央に形成された略四角状の断面を有している細長部材（long member）を備えている。ローラが、Ｔ字状の形態をした凹所の上側部分及び両側面部分に配設されている。側面に配設されたローラは、中間レールの垂直方向ウェブの厚さと略同一である距離だけ垂直方向に離隔して配置されている。ローラの数量、タイプ（上側ローラであるか側面ローラであるか）、及び構成は、スライディングハウジングの設計上の許容荷重に依存する。さらに、側面ローラ（図示しない）は、引き出し／什器のために横方向の案内をするように設けられている。これら側面ローラが可能な限り間隔を空けて配置されている場合には、横方向における安定性を高めることができる。スライディングハウジングの開いたＴ字状の形態をした凹所によって、中間レールが固定式レール４０上でスライド可能となり、引き抜きレール６０が中間レール５０上でスライド可能となる。
【００３７】
適度な間隙（最小間隙）が、ローラと中間レール５０の上方フランジ及び下方フランジの各接触面との間に設けられているので、位置合わせ及び／又は組立を容易になる。同様に、適度な間隙（最小間隙）が、側面ローラと中間レール５０の垂直方向ウェブの接触面との間に設けられている。ローラと接触面との間における、これら最小間隙は、レール部品（引き出し）の滑らかなスライド運動を実現するために必要である。しかしながら、これら適度な間隙は、ガイドレールシステムが動作している際に（図９Ｂ、図９Ｃ、及び図１０）、中間レール５０及び引き抜きレール６０が傾く（従って、引き出しが斜行する）原因となる。この問題は、特に“フルエクステンション”タイプのガイドレールシステムにおいて重大である。
【００３８】
上述のように、斜行防止装置は、引き出し側面部材（サポートブラケット２０）又はレール部材（固定式レール４０）のうちいずれか一方の長手方向端部それぞれに別々に設けられている、バンパープレート８０（図５参照）及びローラ９０（図２〜図４参照）を備えている。例えば、引き出しの両側面において、バンパープレート８０が、固定式レール４０の前端部に隣り合って設けられており、ローラ９０が、サポートブラケット２０の後端部に隣り合って設けられている。さもなければ、引き出しの両側面において、ローラ９０が、固定式レール４０の前端部に隣り合って設けられおり、バンパープレート８０が、サポートブラケット２０の後端部に隣り合って設けられている。
【００３９】
図５を参照すると、バンパープレート８０は、好ましくは弾性材料から作られており、より好ましくは弾性プラスチック材料から作られている。バンパープレート８０は、単一の成形品であり、略Ｃ字状になっている場合がある。Ｃ字状のバンパープレート８０は、自身がサポートブラケット２０又は固定式レール４０のいずれか一方の長手方向端部に容易に係留されるように適合している。バンパープレート８０をサポートブラケット２０又は固定式レール４０に固定する他の手段としては、例えばネジやこれに類するもののような適切な取付手段、又は接着が挙げられる。バンパープレート８０は、Ｃ字状のバンパープレートの一方の半体８２が、該バンパープレートが固定されるサポートブラケット２０又は固定式レール４０の垂直方向フランジの外面において長手方向に沿って延在するように、且つ、他方の半体８１が、サポートブラケット２０又は固定式レール４０の内面において長手方向に沿って延在するように向いている。上述のように、バンパープレート８０は、固定式レール４０の長手方向前端部に係留可能とされる。
【００４０】
斜行防止装置のローラ９０も、好ましくは弾性材料から作られており、より好ましくは弾性プラスチック材料から作られている。図３Ａ及び図３Ｂを参照すると、ローラ９０は、好ましくは回動ピン９２が貫通される中央開口部９１が形成されたディスク状の形態である。ローラ９０を収容している保護ハウジング９３が、（組立状態において）設けられている。保護ハウジング９３には、該ローラの中央開口部９１に対応する中央開口部９４が形成されている。組立の際には、ローラ９０は保護ハウジング９３内に係合し、その後に、回動ピン９２が該保護ハウジング及び該ローラの中央開口部９１，９４の両方を貫通する。その後に、保護ハウジング９３が、ローラ９０と共に、サポートブラケットのＬ字状フランジ２２の垂直方向部分２４に形成されている十字状開口部２５内に係合される（図２、図４、及び図６〜図１０に表わす実施例において）。回動ピン９２の両端部が、十字状開口部２５の調整部分２６内で固定され、これによりローラ９０が、該調整部分に回動可能に保持される。また、ロックブラケット９５が、保護ハウジング９３（ローラ９０）をサポートブラケットのＬ字状フランジ２２の垂直方向部分２４に取り外し可能にロックするために配設されている。
【００４１】
本出願では図示しないが、バンパープレート８０が、サポートブラケット２０の長手方向後端部に設けられている場合がある。このような実施例では、サポートブラケットのＬ字状フランジ２２の垂直方向部分２４には、ローラ９０を受容するための開口部が形成されている必要がない。ローラ９０が、固定式レール４０の長手方向前端部に配設されている場合がある。（引き出しの底面パネル３に面している側における）固定式レール４０の内側の垂直方向フランジの外面には、十字状開口部が、ローラ９０を受容するために形成されている。当該実施例では、レール部品の配置に関する微調整をする必要がある。
【００４２】
利用時には、引き出し組立体が中立位置に位置している場合に、引き出しは、斜行も傾斜もせず、家具の略中心に位置している。引き出しの両側に設けられた引き出し閉鎖装置７０両方が、引き出しを閉位置に付勢するように力を均等に作用させている。図７Ａ、図８Ａ、及び図９Ａを参照すると、引き出しの両側に設けられた斜行防止装置のバンパープレート８０とローラ９０とのいずれもが、該閉位置では、サポートブラケットのＬ字状フランジの垂直部分２４にも、固定式レール４０の垂直方向フランジの外面にも接触していない。
【００４３】
引き出しが自身の一方の側部のみで家具から引き出された場合に、引き出し閉鎖装置７０は力を不均等に作用させる。引張力が作用する引き出しの側部の反対側の側部に設けられた引き出し閉鎖装置７０が、引き出しを閉じるように付勢する。一方、引張力が作用する引き出し側では、引き出し閉鎖装置の付勢力が作用され、引き出しが開方向にスライドするように付勢される。従って、引き出しは、家具内において斜行又は横断する。
【００４４】
図７Ｂ及び図８Ｂは、外方にスライド運動する際に引き出しが家具内において内方に斜行する影響を最小限に抑えるための、対角に対向する引き出しの２つのコーナーに対する斜行防止装置の案内動作を表わす。これら図面では、引張力が引き出し組立体の右側前方に作用する。左側の固定式レール４０の前端部に隣り合っているバンパープレート８０が、左側のサポートブラケットのＬ字状フランジの垂直方向部分２４（引き出し組立体の左前方のコーナー）に係合する。同時に、右側のサポートブラケット２０の後端部に隣り合っているローラ９０が、右側の固定式レール４０の内側の垂直方向フランジ（引き出し組立体の右側後方のコーナー）の外面に係合し、該外面の長手方向に沿って移動する。バンパープレート８０及びローラ９０の弾性に起因して、対角に対向する引き出しの２つのコーナーにおける案内によって、引き出しの左側及び右側が、中央に向かって（サポートブラケット２０から離隔するように）付勢される。従って、引き出しが家具から引き出される場合に、引き出しの内向きの斜行が最小限に抑えられる。
【００４５】
引張力が引き出しの左側に作用することによって該引き出しが家具内部において斜行する場合には、右側の固定式レール４０の前端部に隣り合っているバンパープレート８０が、右側のサポートブラケットのＬ字状フランジの垂直方向部分（引き出し組立体の右側前方のコーナー）２４の内面に係合する。同時に、左側のサポートブラケット２０の後端部に隣り合っているローラ９０が、左側の固定式レール４０の内側の垂直方向フランジ（引き出し組立体の左側後方のコーナー）の外面に係合し、該外面の長手方向に沿って移動する。バンパープレート８０及びローラ９０の弾性に起因して、対角に対向する引き出しの２つのコーナーにおける案内によって、引き出しの左側及び右側が中央に向かって（サポートブラケット２０から離隔するように）付勢される。従って、引き出しが家具から引き出される場合に、引き出しの斜行が最小限に抑えられる。
【００４６】
図８Ａ及び図８Ｂに表わすように、本発明における斜行防止装置が幅広の引き出しを有している引き出し組立体で利用される場合に、斜行を補償する効果が一層顕著になる。
【００４７】
本明細書では、前方（“front/forward”）、後方（“back/rear”）、頂部（“top”）、底部（“bottom”）、側方（“lateral”）、垂直方向（“vertical”）、内方（“inward”）、外方（“outward”）のような方向を表わす用語のすべては、利用時における引き出し組立体の向きに対して相対的に決定されるものである。
【００４８】
当業者にとって明らかなように、本発明は、本発明の技術的範囲又は本質的な性質から逸脱することなく、他の実施形態として容易に製造することができる。従って、本発明における実施例は、単なる図示を目的とするものであり、限定的に考えるものではない。本発明の技術的範囲は、上述の発明の詳細な説明ではなく、特許請求の範囲に基づくものである。また、すべての変化例も特許請求の範囲に基づくものである。
【符号の説明】
【００４９】
１  前面パネル
３  底面パネル
４  引き出し側面部材
５  コーナー取付部材
１０  カバー部品
２０  サポートブラケット
２１  開口部
２２  Ｌ字状フランジ
２３  （Ｌ字状フランジ２２の）水平部分
２４  （Ｌ字状フランジ２２の）垂直部分
２５  十字状開口部
３０  取付ブラケット
４０  固定式レール
５０  中間レール
６０  引き抜きレール
７０  引き出し閉鎖装置
８０  バンパープレート
９０  ローラ
９１  中央開口部
９２  回動ピン
９３  保護ハウジング
９５  ロックブラケット
【図１】
2011101799.tif 000003
【図２】
2011101799.tif 000004
【図３Ａ】
2011101799.tif 000005
【図３Ｂ】
2011101799.tif 000006
【図４Ａ】
2011101799.tif 000007
【図４Ｂ】
2011101799.tif 000008
【図４Ｃ】
2011101799.tif 000009
【図５】
2011101799.tif 000010
【図６Ａ】
2011101799.tif 000011
【図６Ｂ】
2011101799.tif 000012
【図７Ａ】
2011101799.tif 000013
【図７Ｂ】
2011101799.tif 000014
【図８Ａ】
2011101799.tif 000015
【図８Ｂ】
2011101799.tif 000016
【図９Ａ】
2011101799.tif 000017
【図９Ｂ】
2011101799.tif 000018
【図９Ｃ】
2011101799.tif 000019
【図１０】
2011101799.tif 000020
【図１１】
2011101799.tif 000021
【外国語明細書】
2011101799.tif 000022
2011101799.tif 000023
2011101799.tif 000024
2011101799.tif 000025
2011101799.tif 000026
2011101799.tif 000027
2011101799.tif 000028
2011101799.tif 000029
2011101799.tif 000030
2011101799.tif 000031
2011101799.tif 000032
2011101799.tif 000033
2011101799.tif 000034
2011101799.tif 000035
2011101799.tif 000036
2011101799.tif 000037
2011101799.tif 000038
2011101799.tif 000039
2011101799.tif 000040
2011101799.tif 000041
2011101799.tif 000042
2011101799.tif 000043
2011101799.tif 000044
2011101799.tif 000045
2011101799.tif 000046
2011101799.tif 000047
2011101799.tif 000048
2011101799.tif 000049